(57)【要約】【課題】足裏を指圧する機能を有するルームサンダルにおいて、足裏の全体を指圧するのではなく必要箇所を部分的に集中して指圧することが、足裏を支持する接足部材の取換えによって簡便に行えるようにすること。【解決手段】サンダル台１２が、足裏を支持する接足部材２１と、床等の歩行面に接触する接地部材３１とに分割形成される。そして、接足部材２１が、足を支持し得る剛性を有するとともに、上面には、足裏を部分的に集中して押圧すべく隆起する隆起部２１ａが形成され、接地部材３１には、接足部材２１の上面を除く部分を落とし込む深さの凹部３１ａと、着用時に足に対する取付け状態を保持する甲皮１３が形成されており、接足部材２１が接地部材３１に対して着脱可能であるルーサンダル１１。接地部材３１に対して接足部材２１を適宜選択して取付けて着用することで、所望の指圧作用を受けることができる。【選択図】図２
0003126871.tif 000002
【実用新案登録請求の範囲】
【請求項１】
履物台が、足裏を支持する接足部材と、床等の歩行面に接触する接地部材とに分割形成され、
上記接足部材が、足を支持し得る剛性を有するとともに、上面には、足裏を部分的に集中して押圧すべく隆起する隆起部が形成され、
上記接地部材には、接足部材の上面を除く部分を落とし込む深さの凹部と、着用時に足に対する取付け状態を保持する甲皮が形成され、
接足部材が接地部材に対して着脱可能である
室内履。
【請求項２】
上面の形状および／または性状が異なる接足部材を備える
請求項１に記載の室内履。
【請求項３】
前記接足部材には、硬質発泡樹脂製の芯材が備えられた
請求項１または請求項２に記載の室内履。
【請求項４】
前記接地部材が、可撓性を有し形状保持可能であるとともに、前記接足部材が、接地部材の凹部に嵌合対応する形状に形成されて、両者の嵌まり合いで接足部材が接地部材に装着される
請求項１から請求項３のうちのいずれか一項に記載の室内履。
【請求項５】
前記接足部材と接地部材との対向面に、相互に接触したときに相互間での位置ずれを抑制または防止するシート材が設けられた
請求項１から請求項４のうちのいずれか一項に記載の室内履。
【請求項６】
前記シート材が編織物である
請求項５に記載の室内履。
【請求項７】
前記接足部材と接地部材の爪先側部分の底面が、先端側ほど上に向くように湾曲形成された
請求項１から請求項６のうちのいずれか一項に記載の室内履。
【請求項８】
前記接足部材と接地部材の踵側部分の底面が、後端側ほど上に向くように湾曲形成された
請求項１から請求項７のうちのいずれか一項に記載の室内履。
【考案の詳細な説明】
【技術分野】
【０００１】
この考案は、主に室内で履くスリッパやサンダルのような室内履に関し、より詳しくは、足裏を支持する部分を必要に応じ、また好みに応じて取り換えることで、所望の指圧効果を得ることができるよな室内履に関する。
【背景技術】
【０００２】
足裏を支持する部分を取り換えることができるものとして、下記特許文献１に開示されたスリッパがある。このスリッパは、新しさや清潔感を得るために足裏が接する中板を取換え可能にしたもので、中板を粘着糊で固定する構造である。中板を取り換えると新しさや清潔感を得られるのでよい。
【０００３】
一方、足裏を押圧刺激する室内履は従来から提案されているが、このような室内履において、指圧の態様を変えるべく足裏を支持する部分（接足部材）を取換え可能にするものは存在しない。
【０００４】
そこで、接足部材の固定を特許文献１のようにして行い、指圧態様が異なる接足部材を取り換え可能にすることが考えられるが、特許文献１のスリッパでは、中板を粘着により固定するので特殊な粘着剤を用いない限り、剥がした中板を再度使用することはできない。このため、特許文献１の構造を、同一の接足部材を繰り返し使用し、取換えも比較的頻繁に行われる室内履に採用することは不可能である。
【特許文献１】登録実用新案第３０４１２９６号公報
【考案の開示】
【考案が解決しようとする課題】
【０００５】
この考案は、所望の指圧作用を選択して得られるような室内履を提供することを課題とする。
【課題を解決するための手段】
【０００６】
そのための手段は、履物台が、足裏を支持する接足部材と、床等の歩行面に接触する接地部材とに分割形成され、上記接足部材が、足を支持し得る剛性を有するとともに、上面には、足裏を部分的に集中して押圧すべく隆起する隆起部が形成され、上記接地部材には、接足部材の上面を除く部分を落とし込む深さの凹部と、着用時に足に対する取付け状態を保持する甲皮が形成され、接足部材が接地部材に対して着脱可能な室内履である。
【０００７】
この室内履を履くと、接足部材は足裏を支持して上面の隆起部が足裏を部分的に集中して押圧し、指圧作用を施す。このとき、接足部材は、その剛性によって足を支持する。このため、支持した足によって接足部材が圧縮変形されて接地部材に無理な力がかかることはなく、接足部材は接地部材の凹部内に整然と収まった状態を保つ。また、足の甲には甲皮が被さり、歩行や足踏みをしても、室内履は足から外れることはなく、足裏は歩行や足踏みにより繰り返して指圧作用を受けることができる。
【０００８】
そして、指圧の態様を変えたいときには上面の形状、すなわち隆起部の形状が異なる別の接足部材と交換する。
【０００９】
このように、足裏に対して確実に指圧作用を受けることができるとともに、接足部材を取り替えることによって、所望の指圧作用を受けることも可能である。
【００１０】
また、接足部材が剛性を有するので、接地部材に対する装着状態を正しく維持できる上に、接地部材に対する着脱作業も行いやすい。
【００１１】
ここで、上記構成要素については、たとえば次のような態様に構成することができる。  
その態様の他の一つは、上面の形状および／または性状が異なる接足部材を備える室内履である。接足部材を備える方法は、同一のパッケージに収納したり添付したりする方法のほか、別売りにして付属させる方法もある。  
隆起部の配置、すなわち上面形状の違いのほか、たとえば色や柄などの外観や、素足で履くのに適した素材などの材質等、性状の違う接足部材を備えることで、所望の室内履を自由に得ることができる。
【００１２】
態様の他の一つは、上記接足部材に、硬質発泡樹脂製の芯材が備えられた室内履である。  
この構成によれば、軽いうえに十分な指圧作用を期待することができる。
【００１３】
態様の他の一つは、上記接地部材が、可撓性を有し形状保持可能であるとともに、上記接足部材が、接地部材の凹部に嵌合対応する形状に形成されて、両者の嵌まり合いで接足部材が接地部材に装着される室内履である。  
この構成によれば、嵌めるだけで簡単に装着できる。また、着脱作業は、接足部材が剛性を有し、接地部材が一定の形状を保持しつつ可撓性を有するので、容易であり、ぴったりとした装着状態を得ることもできる。
【００１４】
態様の他の一つは、上記接足部材と接地部材との対向面に、相互に接触したときに相互間での位置ずれを抑制または防止するシート材が設けられた室内履である。  
この構成によれば、シート材同士が接触して位置ずれが抑制または防止されるので、簡単な着脱操作を確保しながら、確実な装着状態が得られる。シート材には、面ファスナのような積極的な係止構造を有するものを使用することもできるが、たとえばメリヤスなどの編織物を、互いの目が異なる方向に向くように張ることによって、必要な滑り止め作用を得ることができる。
【００１５】
態様の他の一つは、上記接足部材と接地部材の爪先側部分の底面が、先端側ほど上に向くように湾曲形成された室内履である。  
この構成によれば、底の爪先部分が面取りされたような形態であるので、歩きやすく躓きにくい室内履となる。また、接足部材と接地部材の双方が湾曲形成されているので、歩行時における歩行面を蹴る瞬間に、接地部材と接足部材の底には均等な力がかかり爪先が乗った状態になるので、接足部材に対して、接地部材から外れる力が作用することはなく、装着状態が維持できる。
【００１６】
態様の他の一つは、上記接足部材と接地部材の踵側部分の底面が、後端側ほど上に向くように湾曲形成された室内履である。  
この構成によれば、歩行時の着地の瞬間に、接地部材と接足部材の底には均等な力がかかって踵が乗った状態になるので、接足部材に対して、接地部材から外れる力が作用することはなく、装着状態が維持できる。
【考案の効果】
【００１７】
以上のように、この考案によれば、所望の指圧作用を手軽に享受することができる。
【考案を実施するための最良の形態】
【００１８】
この考案を実施するための一形態を、以下図面を用いて説明する。  
図１は、サンダルタイプの室内履であるルームサンダル１１を示す斜視図であり、図面においては、左右一対のもののうち左方のみを表している。
【００１９】
このルームサンダル１１は、サンダル台１２が、足裏を支持する接足部材２１と、床等の歩行面に接触する接地部材３１とに分割形成され、接足部材２１は接地部材３１に対して着脱可能である。このため、図２に示したように、種類の異なる複数個の接足部材２１…のうちから１個の接足部材を選択して１個の接地部材３１に装着し、使用できる。
【００２０】
まず、接足部材２１について説明する。  
接足部材２１は、足裏全体を支持する大きさで、足を支持し得る剛性を有する。そして、上面は三次元曲面で形成され、足裏を部分的に押圧すべく隆起する隆起部２１ａを有している。
【００２１】
この接足部材２１は、図３に示したように、硬質発泡樹脂からなる芯材２２と、該芯材２２の上面に貼り付けられるシート状の緩衝材２３と、該緩衝材２３の表面に被覆される上側被覆材２４と、上記芯材２２の上面以外の部分を被覆する下側被覆材２５とで構成され、上記芯材２２の上面に、上記隆起部２１ａが適宜の配置で一体成形されている。
【００２２】
この芯材２２の厚さは、厚い部分でおよそ２５mmほどのしっかりした形状に形成され、素材の性質の厚みとによって、足で踏んでも容易に変形しない程度の剛性を有する。
【００２３】
また、隆起部２１ａは、足裏の全体を指圧するのではなく、目的に応じて足裏を部分的に集中して指圧できるように適宜配設されている。
【００２４】
このように隆起部２１ａの配置が異なる接足部材２１…を図２に示したように複数個備える。図面では３個の接足部材２１…を示したが、３個に限定されるものではない。また、隆起部２１ａの配置の違い、すなわち指圧作用の違いに応じて、上側被覆部材２４の色や柄などの外観を異ならせる。
【００２５】
図中２６は、接足部材２１を接地部材３１から外す時に引っ張るための引張り片である。
【００２６】
つぎに、接地部材３１について説明する。  
接地部材３１は、図２、図３に示したように、接足部材２１の上面を除く部分を落とし込む深さの凹部３１ａを有した舟形をなし、上側には着用時に足に対する取付け状態を保持する甲皮１３が形成されている。
【００２７】
接地部材３１自体は芯材３２の内側面と外側面とに被覆材（内側被覆材３３、外側被覆材３４）を貼り付けて、上端開口縁に縁布３５を固定した構造で、芯材３２は１個の合成樹脂シートで構成されている。すなわち、可撓性を有する合成樹脂シートを圧縮成形等で所定の舟形に形成することで上記芯材３２が得られる。芯材３２は、可撓性を有するので、外力によって変形されても元に戻る力が働き、成形された船形に形状を保つことができる。
【００２８】
このような接地部材３１の凹部３１ａは、上記接足部材２１がぴたりと嵌まる大きさである。
【００２９】
また、接足部材２１の下側被覆材２５と接地部材３１の内側被覆材３３は、編織物、たとえばメリヤスで構成されている。そして、相互の接触時に相互間での位置ずれを抑制するように、たとえば接地部材３１の内側被覆材３３の目を縦方向（爪先踵方向）に設定した場合には、相互に接触する部分の少なくとも一部分において、接足部材２１の下側被覆材２５の目が、それとは直交するように方向設定される。具体的には、上記の通り、接地部材３１の内側被覆材３３の目を縦方向に設定した場合に、接足部材２１の下側被覆材２５の目を縦方向に設定すれば、接足部材２１の踵部分を含む両側面において、目の方向が接地部材３１の内側被覆材３３のそれと直交するので（図３参照）、両者の面接触による接触抵抗で、接足部材２１の両側面とこれに対向する部分で位置ずれ抑制を図ることができる。
【００３０】
さらに、図３、図４に示したように、接足部材２１と接地部材３１の爪先側部分の底面２１ｂ，３１ｂと、踵側部分の底面２１ｃ，３１ｃが、端部側ほど上に向くように湾曲形成されている。換言すれば、爪先と踵の角にアールが形成されている。なお、接足部材２１と接地部材３１における爪先側先端の高さは、甲皮１３における先端の開口部の高さと略等しい高さに設定されている。この構成により、接足部材２１上での足の位置を適正な位置に保持できるとともに、足の爪先を保護することができる。
【００３１】
上記甲皮１３は、図示例においては、アーチ状をなす一つの部品で構成したが、たとえば足の大きさに対応して着用できるようにすべく左右に分割された２個の部品からなり、面ファスナ等の係止手段で止められるような甲皮であるもよい。
【００３２】
このように構成されたルームサンダル１１では、履けば足裏に対して指圧作用を受けることができる。その指圧作用は、足裏全体に押圧刺激を加えるものではなく、必要な部分を集中して指圧するというものである。そして、複数種類の接足部材２１を備え、これらのうちから選択して接地部材３１に装着し、使用するので、必要に応じて指圧の種類を選ぶことができる。
【００３３】
つまり、体調などの情況に応じて所望する指圧作用を享受することができる。しかも、ルームサンダル１１を履くだけで、また接足部材２１を交換するだけで、所望の指圧作用を受けることができるので簡便である。
【００３４】
また、接足部材２１が剛性を有するので、接足部材２１のみで指圧作用を受けることができる状態であり、接地部材３１は主として、接足部材２１を足に着用するための役割を果たすためのものとなる。このため、踏んだ時に接地部材３１に無理な力がかかったりすることはなく、所望の指圧作用を受けることができる。
【００３５】
そのうえ、接足部材２１が圧縮されて接地部材３１を押し広げることがないので、見た目が良いうえに、接足部材２１の接地部材３１に対する装着状態を維持できる。
【００３６】
そして、接足部材２１と接地部材３１は、素材と形状、また下側被覆材２５と内側被覆材３１の存在によって、装着が簡単でありながらも、高い一体性を得ることができて、履いて使用するのに十分に耐えられるものとなる。
【００３７】
また、接足部材２１と接地部材３１における爪先側と踵側の底面２１ｂ，２１ｃ，３１ｂ，３１ｃが湾曲形成されているので、歩きやすく、また歩行時の蹴りだす瞬間や接地する瞬間に両者に無理な力がかかることは無く、両者の不測の分離を防止することができる。
【００３８】
この考案の構成と、上記一形態の構成との対応において、  
この考案の室内履は、上記ルームサンダル１１に対応し、  
以下同様に、  
履物台は、サンダル台１２に対応し、  
芯材は、芯材２２に対応し、  
シート材は、下側被覆材２５と内側被覆材３１に対応するも、  
この考案は、上記一形態の構成のみに限定されるものではなく、その他の形態を作用することもできる。
【００３９】
たとえば、足裏全体を指圧する隆起部を備える接足部材や、指圧のための隆起部の無い接足部材を備えることもできる。
【図面の簡単な説明】
【００４０】
【図１】ルームサンダルの斜視図。
【図２】ルールサンダルの分解斜視図。
【図３】ルームサンダルの分解状態の断面図。
【図４】ルームサンダルの側面図。
【符号の説明】
【００４１】
１１…ルームサンダル
１２…サンダル台
１３…甲皮
２１…接足部材
２１ａ…隆起部
２１ｂ…爪先側部分の底面
２１ｃ…踵側部分の底面
２２…芯材
２５…下側被覆材
３１…接地部材
３１ａ…凹部
３１ｂ…爪先側部分の底面
３１ｃ…踵側部分の底面
３３…内側被覆材
【図１】
0003126871.tif 000003
【図２】
0003126871.tif 000004
【図３】
0003126871.tif 000005
【図４】
0003126871.tif 000006